(57)【要約】【課題】室内機からワイヤレスリモコンまでの距離を通知する室内機を備えた空気調和装置、空気調和装置の制御方法、及び空気調和装置の制御プログラムを提供することを目的とする。【解決手段】少なくとも１つの室内機３０と、室内機３０に設置され該室内機３０と接続された無線通信アダプタ２０と、無線通信アダプタ２０と送受信を行うワイヤレスリモコン１０と、を備えた空気調和装置であって、無線通信アダプタ２０は、ワイヤレスリモコン１０が送信する電波の強度である電波強度を受信する電波強度受信部２３と、通知部２２と、通信制御マイコン２１と、を有し、通信制御マイコン２１は、電波強度受信部２３が受信した電波強度に応じた通知を行うよう通知部２２を制御する。【選択図】図２
2018189277.tif 000002
【特許請求の範囲】
【請求項１】
少なくとも１つの室内機と、
前記室内機に設置され該室内機と接続された無線通信アダプタと、
前記無線通信アダプタと送受信を行うワイヤレスリモコンと、を備えた空気調和装置であって、
前記無線通信アダプタは、前記ワイヤレスリモコンが送信する電波の強度である電波強度を受信する電波強度受信部と、通知部と、制御部と、を有し、
前記制御部は、前記電波強度受信部が受信した前記電波強度に応じた通知を行うよう前記通知部を制御する空気調和装置。
【請求項２】
前記制御部は、所定の時間間隔で前記電波強度に応じた通知を行うよう前記通知部を制御する請求項１に記載の空気調和装置。
【請求項３】
前記所定の時間間隔及び前記電波強度に応じた通知の有無は、前記ワイヤレスリモコンまたは前記無線通信アダプタにより設定される請求項２に記載の空気調和装置。
【請求項４】
前記室内機は、複数の吹出し口を有し、
前記電波強度受信部及び前記通知部は、前記吹出し口毎に該吹出し口の近傍に設置され、
前記制御部は、各前記電波強度受信部が受信した前記電波強度に応じた通知を行うよう対応する前記通知部を制御する請求項１から請求項３のいずれか１項に記載の空気調和装置。
【請求項５】
前記制御部は、無線通信端末装置から送信された信号に基づき、前記電波強度受信部が受信した前記電波強度に応じた通知を行うよう前記通知部を制御する請求項１から請求項４のいずれか１項に記載の空気調和装置。
【請求項６】
前記ワイヤレスリモコンは、リモコン通知部を有し、
前記制御部は、前記電波強度受信部が受信した前記電波強度に応じた通知を行うよう前記リモコン通知部を制御する請求項５に記載の空気調和装置。
【請求項７】
前記制御部は、前記無線通信端末装置から送信された信号に基づき、前記電波強度受信部が受信した前記電波強度に応じた通知を行うよう前記リモコン通知部を制御する請求項６に記載の空気調和装置。
【請求項８】
少なくとも１つの室内機と、
前記室内機に設置され該室内機と接続された無線通信アダプタと、
前記無線通信アダプタと送受信を行うワイヤレスリモコンと、を備えた空気調和装置の制御方法であって、
前記無線通信アダプタは、前記ワイヤレスリモコンが送信する電波の強度である電波強度を受信する電波強度受信部と、通知部と、を有し、
前記電波強度受信部が受信した前記電波強度に応じた通知を行うよう前記通知部を制御する工程を備えた空気調和装置の制御方法。
【請求項９】
少なくとも１つの室内機と、
前記室内機に設置され該室内機と接続された無線通信アダプタと、
前記無線通信アダプタと送受信を行うワイヤレスリモコンと、を備えた空気調和装置の制御プログラムであって、
前記無線通信アダプタは、前記ワイヤレスリモコンが送信する電波の強度である電波強度を受信する電波強度受信部と、通知部と、を有し、
前記電波強度受信部が受信した前記電波強度に応じた通知を行うよう前記通知部を制御するステップを備えた空気調和装置の制御プログラム。
【発明の詳細な説明】
【技術分野】
【０００１】
本発明は、空気調和装置、空気調和装置の制御方法、及び空気調和装置の制御プログラムに関するものである。
【背景技術】
【０００２】
空気調和装置には、運転／停止や設定等を操作するためにワイヤレスリモコンが付属されている場合がある。ワイヤレスリモコンは、様々な場所から操作が可能であることにより、その置き場所は不定であることが多く、ユーザの視認可能な範囲外に置かれる場合も発生する。ワイヤレスリモコンがユーザの手元に無い場合、空気調和装置の運転／停止や設定等を操作することができない。対策として空気調和装置の室内機側にバックアップスイッチ等が設置されているが、室内機は壁面上部や天井に設置されることも多く、ユーザが容易にスイッチを操作できない場合もある。また、風向や風量などの細かい設定を行うことが困難な場合も多い。
そこで、ワイヤレスリモコンの所在を発見しやすくする方法が検討されている。例えば、特許文献１には、ワイヤレスリモコンを探す場合に、室内ユニットの呼出スイッチを操作することでワイヤレスリモコンの位置がワイヤレスリモコンの表示手段に表示されることが開示されている。
【先行技術文献】
【特許文献】
【０００３】
【特許文献１】特開平１１−１４１９６０号公報
【発明の概要】
【発明が解決しようとする課題】
【０００４】
しかしながら、上記特許文献１に開示された発明では、室内機に備えられた呼出スイッチを押下する必要があるため、操作が困難な場合が多い室内機側での操作が必要であるという問題があった。また、ワイヤレスリモコン側の通知であるため、ワイヤレスリモコンの表示が外部に届かない場合は、ユーザが表示を認識することができないという問題もあった。
【０００５】
本発明は、このような事情に鑑みてなされたものであって、室内機からワイヤレスリモコンまでの距離を通知する室内機を備えた空気調和装置、空気調和装置の制御方法、及び空気調和装置の制御プログラムを提供することを目的とする。
【課題を解決するための手段】
【０００６】
上記課題を解決するために、本発明の空気調和装置、空気調和装置の制御方法、及び空気調和装置の制御プログラムは以下の手段を採用する。
本発明の第一態様に係る空気調和装置は、少なくとも１つの室内機と、前記室内機に設置され該室内機と接続された無線通信アダプタと、前記無線通信アダプタと送受信を行うワイヤレスリモコンと、を備えた空気調和装置であって、前記無線通信アダプタは、前記ワイヤレスリモコンが送信する電波の強度である電波強度を受信する電波強度受信部と、通知部と、制御部と、を有し、前記制御部は、前記電波強度受信部が受信した電波強度に応じた通知を行うよう前記通知部を制御する。
【０００７】
本構成によれば、空気調和装置の各室内機に接続された無線通信アダプタが、ワイヤレスリモコンの電波強度を受信し、その強度に応じた通知を行うことで、各室内機とワイヤレスリモコンとの距離をユーザに認識させることができる。
ユーザがワイヤレスリモコンを視認できずその場所を特定できない場合に、ワイヤレスリモコンが送信した電波強度に応じて通知部が通知するため、ユーザは室内機からのワイヤレスリモコンまでの距離を認識し、ユーザがワイヤレスリモコンの位置をおおまかに知ることができる。そのため、ユーザが容易にワイヤレスリモコンを発見することをサポートできる。
【０００８】
上記第一態様では、前記制御部は、所定の時間間隔で前記電波強度に応じた通知を行うよう前記通知部を制御するとしてもよい。
【０００９】
本構成によれば、通知部は所定の時間間隔で電波強度に応じた通知を行うため、ユーザは操作を行うこと無く室内機からワイヤレスリモコンまでのおおまかな距離を知ることができる。室内機は、通常壁面上部や天井などユーザの手の届く範囲外に設置されることが多く、ワイヤレスリモコンが使えない場合には室内機を直接操作する必要があるが、室内機での操作を行う必要がない。
【００１０】
上記第一態様では、前記所定の時間間隔及び前記電波強度に応じた通知の有無は、前記ワイヤレスリモコンまたは前記無線通信アダプタにより設定されるとしてもよい。
【００１１】
本構成によれば、電波強度に応じた通知をするか否かの設定、及び、電波強度に応じた通知の時間間隔を、ワイヤレスリモコンまたは室内機に設置された無線通信アダプタを介して設定することから、ユーザの利用環境に応じた通知とすることができる。前もってワイヤレスリモコンにて設定することができるとともに、ワイヤレスリモコンが使用不可の場合は室内機（に設置された無線通信アダプタ）にて設定することも可能である。
【００１２】
上記第一態様では、前記室内機は、複数の吹出し口を有し、前記電波強度受信部及び前記通知部は、前記吹出し口毎に該吹出し口の近傍に設置され、前記制御部は、各前記電波強度受信部が受信した前記電波強度に応じた通知を行うよう対応する前記通知部を制御するとしてもよい。
【００１３】
本構成によれば、例えば天井埋め込みされた四方向に吹出し口がある室内機など複数の吹出し口を有する室内機において、吹出し口毎に設置された電波強度受信部がワイヤレスリモコンの電波強度を受信し、その強度に応じた通知を行うことで、各吹出し口とワイヤレスリモコンとのおおまかな距離をユーザに認識させることができる。１の室内機に対し、複数の吹出し口がある場合、それぞれの吹出し口からワイヤレスリモコンまでの距離を通知するため、ユーザはワイヤレスリモコンの位置をより詳細に認識することができる。
通知については、各電波強度を比較して強度が強い順に通知を変更する、最も強度が強い箇所のみ通知を行う、など様々な方法が考えられるが、ワイヤレスリモコンまでの距離を通知できるのであればいずれの方法を採用してもよい。
【００１４】
上記第一態様では、前記制御部は、無線通信端末装置から送信された信号に基づき、前記電波強度受信部が受信した前記電波強度に応じた通知を行うよう前記通知部を制御するとしてもよい。
【００１５】
本構成によれば、スマートフォンなどの無線通信端末装置から「リモコンを探す」等の信号を室内機に送信することで、通知部がワイヤレスリモコンまでのおおまかな距離を通知する。これにより、空気調和装置以外の装置の信号を契機として、室内機からワイヤレスリモコンまでのおおまかな距離をユーザに認識させることができる。
【００１６】
上記第一態様では、前記ワイヤレスリモコンは、リモコン通知部を有し、前記制御部は、前記電波強度受信部が受信した電波強度に応じた通知を行うよう前記リモコン通知部を制御するとしてもよい。
【００１７】
本構成によれば、ワイヤレスリモコンがリモコン通知部を有し、電波強度に応じてブザーを鳴らす、振動するなどの通知を行うため、室内機からワイヤレスリモコンまでのおおまかな距離を室内機及びワイヤレスリモコン双方からユーザに認識させるとともに、ワイヤレスリモコンがその位置をユーザに通知することができる。
【００１８】
上記第一態様では、前記制御部は、前記無線通信端末装置から送信された信号に基づき、前記電波強度受信部が受信した前記電波強度に応じた通知を行うよう前記リモコン通知部を制御するとしてもよい。
【００１９】
本構成によれば、スマートフォンなどの無線通信端末装置から「リモコンを探す」等の信号を室内機に送信することで、リモコン通知部がワイヤレスリモコンまでのおおまかな距離を通知する。これにより、空気調和装置以外の装置を用いて、室内機からワイヤレスリモコンまでのおおまかな距離を室内機及びワイヤレスリモコン双方からユーザに認識させることができるとともに、ワイヤレスリモコンがその位置をユーザに通知することができる。
【００２０】
本発明の第二態様に係る空気調和装置の制御方法は、少なくとも１つの室内機と、前記室内機に設置され該室内機と接続された無線通信アダプタと、前記無線通信アダプタと送受信を行うワイヤレスリモコンと、を備えた空気調和装置の制御方法であって、前記無線通信アダプタは、前記ワイヤレスリモコンが送信する電波の強度である電波強度を受信する電波強度受信部と、通知部と、を有し、前記電波強度受信部が受信した前記電波強度に応じた通知を行うよう前記通知部を制御する工程を備える。
【００２１】
本発明の第三態様に係る空気調和装置の制御プログラムは、少なくとも１つの室内機と、前記室内機に設置され該室内機と接続された無線通信アダプタと、前記無線通信アダプタと送受信を行うワイヤレスリモコンと、を備えた空気調和装置の制御プログラムであって、前記無線通信アダプタは、前記ワイヤレスリモコンが送信する電波の強度である電波強度を受信する電波強度受信部と、通知部と、を有し、前記電波強度受信部が受信した前記電波強度に応じた通知を行うよう前記通知部を制御するステップを備える。
【発明の効果】
【００２２】
本発明によれば、ワイヤレスリモコンから発せられる電波強度に応じた通知を通知部が行うので、各室内機とワイヤレスリモコンとのおおまかな距離をユーザに知らせ、ユーザがワイヤレスリモコンを発見するのをサポートすることができる。
【図面の簡単な説明】
【００２３】
【図１】本発明の第１実施形態に係る空気調和装置を示した概略構成図である。
【図２】本発明の第１実施形態に係るワイヤレスリモコン及び無線通信アダプタを示した概略構成図である。
【図３】本発明の第２実施形態に係る室内機を示した概略構成図である。
【発明を実施するための形態】
【００２４】
以下に、本発明に係る空気調和装置、空気調和装置の制御方法、及び空気調和装置の制御プログラムの一実施形態について、図面を参照して説明する。
【００２５】
〔第１実施形態〕
以下、本発明の第１実施形態について、図１及び２を用いて説明する。
図１には、本実施形態に係る空気調和装置の概略構成が示されている。
図１に示されるように、空気調和装置１は、ワイヤレスリモコン１０と、無線通信アダプタ２０と、室内機３０と、室外機４０と、を主な構成として備えている。
ワイヤレスリモコン１０は、１以上の室内機の操作を行うことができ、また１の空気調和装置１に対して１以上備えられている。本実施形態では、２つのワイヤレスリモコン１０Ａ及び１０Ｂが備えられているものとする。
【００２６】
ワイヤレスリモコン１０の操作により、室内機３０の運転操作を行うことができる。ユーザはワイヤレスリモコン１０にて室内機３０の運転ＯＮ／ＯＦＦ、冷房・暖房・送風等の運転モード、設定温度、風量、風向、スイング等の運転情報を適宜入力（例えば対応するボタンの押下等）し、それに応じて室内機３０が運転される。
無線通信アダプタ２０は、室内機３０に１対１で設置され、室内機３０と有線接続されている。無線通信アダプタ２０は、ワイヤレスリモコン１０と双方向に無線通信を行い、ワイヤレスリモコン１０から受信した運転設定情報を室内機３０に伝達する。また、無線通信アダプタ２０同士で双方向に無線通信を行うことも可能である。
【００２７】
室内機３０と室外機４０とは、図示しない冷媒回路を介して接続されており、この冷媒回路を介して室内機３０と室外機４０との間で熱のやり取りが行われるようになっている。
本実施形態では室外機４０Ｘに対して室内機３０Ｘが１対１で接続され、室外機４０Ｙに対して室内機３０Ｙ及び３０Ｚが１対Ｎ（Ｎは１以上の整数）で接続されている場合について例示されているが、室内機３０と室外機４０とは１対１またはそれ以上のいずれの接続でもよく、空気調和装置１として実現可能な構成であればその形態は問わない。
【００２８】
図１では、２台の室外機４０Ｘ及び４０Ｙ、３台の室内機３０Ｘ、３０Ｙ及び３０Ｚ、３台の無線通信アダプタ２０Ｘ、２０Ｙ及び２０Ｚ、及び２つのワイヤレスリモコン１０Ａ及び１０Ｂが設置されている場合について例示しているが、各設置数については任意に決定することができる。
以下の説明において、各室外機４０を区別する場合は、末尾にＸまたはＹのいずれかを付し、各室外機４０を区別しない場合は、ＸまたはＹを省略する。また各室内機３０及び各無線通信アダプタ２０を区別する場合は、末尾にＸ、ＹまたはＺのいずれかを付し、各室内機３０及び各無線通信アダプタ２０を区別しない場合は、Ｘ、ＹまたはＺを省略する。また、各ワイヤレスリモコン１０を区別する場合は、末尾にＡまたはＢのいずれかを付し、各ワイヤレスリモコン１０を区別しない場合は、ＡまたはＢを省略する。
【００２９】
図２には、本実施形態に係るワイヤレスリモコン及び無線通信アダプタの概略構成が示されている。
図２に示されるように、ワイヤレスリモコン１０は、通信制御マイコン１１と、リモコン通知部１２と、無線モジュール１４と、電源１５と、通信回路１６と、アンテナ１７と、入力部１９と、を備えている。
また無線通信アダプタ２０は、通信制御マイコン（制御部）２１と、通知部２２と、電波強度受信部２３と、無線モジュール２４と、電源回路２５と、通信回路２６と、アンテナ２７と、を備えている。
【００３０】
ユーザによる入力部１９の操作により各運転情報がワイヤレスリモコン１０に入力されると、通信制御マイコン１１に伝達され、無線モジュール１４及びアンテナ１７を介して無線通信アダプタ２０に運転設定情報を送信する。
ここで、運転設定情報とは、運転ＯＮ／ＯＦＦ、入／切タイマー、冷房・暖房・送風等の運転モード、設定温度、風量、風向、スイング等の室内機３０の運転情報の設定情報である。
リモコン通知部１２は、例えばＬＥＤランプ、ブザー等であり、通信制御マイコン１１により出力が制御される。
【００３１】
無線通信アダプタ２０は、ワイヤレスリモコン１０から送信された運転設定情報を、アンテナ２７、電波強度受信部２３及び無線モジュール２４を介して受信する。受信された運転設定情報は、通信制御マイコン２１に伝達され、通信回路２６を介して室内機３０の制御装置（図示せず）に伝達され室内機３０の運転制御が行われる。
電波強度受信部２３は、ワイヤレスリモコン１０から送信された電波の強度である電波強度を受信する。
通知部２２は、例えばＬＥＤランプ、ブザー等であり、電波強度受信部２３が受信した電波強度に応じた出力を行うよう通信制御マイコン２１により制御される。
【００３２】
通信制御マイコン２１及び通信制御マイコン１１は、例えば、ＣＰＵ（Central  Processing  Unit）、ＲＡＭ（Random  Access  Memory）、ＲＯＭ（Read  Only  Memory）、及び記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。
【００３３】
図２に示されるワイヤレスリモコン１０Ａの電波強度に応じて各室内機が通知を行う方法について以下に説明する。
ワイヤレスリモコン１０Ａは、ユーザによる入力操作等により、室内機３０の無線通信アダプタ２０へ運転設定情報を乗せた電波を送信する。ワイヤレスリモコン１０Ａから送信された電波は、無線通信アダプタ２０Ｘ〜２０Ｚが受信する。無線通信アダプタ２０Ｘのアンテナ２７が電波を受信すると、電波強度受信部２３が電波強度を受信し、無線モジュール２４を介して運転設定情報及び電波強度が通信制御マイコン２１へ伝達される。
【００３４】
通信制御マイコン２１は、電波強度に応じて予め設定されている出力情報にて通知部２２を制御する。例えば、電波強度の強さに応じて、ＬＥＤをＯＮ／ＯＦＦする、ＬＥＤの点滅の速さを変更する、ＬＥＤの明るさを変更する、ＬＥＤの色を変更する、ブザー音を鳴らす等の出力がなされるよう通知部２２を制御する。また、電波強度の強さを距離に換算し、その距離に応じた出力を行うとしてもよい。
通知部２２は、上述のものに限らずワイヤレスリモコン１０の電波強度に応じた出力でユーザに通知可能な方法であればよく、その構成については問わない。
【００３５】
通知部２２の出力は、通信制御マイコン２１の制御により所定の時間間隔（例えば１時間）で行われる。所定の時間間隔は、ワイヤレスリモコン１０により時間間隔の設定が可能である。また、通知部２２の出力を必要としない場合は、ワイヤレスリモコン１０により出力をＯＦＦとすることも可能である。
また、ワイヤレスリモコン１０が手元にない場合を考慮して、室内機３０の無線通信アダプタ２０にて所定の時間間隔及び通知部２２の出力の有無を設定できるとしてもよい。
【００３６】
また、無線通信アダプタ２０は、相互に通信してもよい。
この場合は、各無線通信アダプタ２０にて電波強度の強さを比較し、その比較結果に応じて通信制御マイコン２１は通知部２２の出力を制御する。
【００３７】
同様にして、各無線通信アダプタ２０の通知部２２は通知を行う。但し無線通信アダプタ２０がワイヤレスリモコン１０の電波を受信しない場合は、通知は行われない。
【００３８】
以上、説明してきたように、本実施形態に係る空気調和装置、空気調和装置の制御方法、及び空気調和装置の制御プログラムによれば、以下の作用効果を奏する。
空気調和装置１の各室内機３０に接続された無線通信アダプタ２０が、ワイヤレスリモコン１０の電波強度を受信し、その強度に応じた通知を行うことで、各室内機３０とワイヤレスリモコン１０との距離をユーザに認識させることができる。
ユーザがワイヤレスリモコン１０を視認できずその場所を特定できない場合に、ワイヤレスリモコン１０が送信した電波強度に応じて通知部２２が通知するため、ユーザは室内機３０からワイヤレスリモコン１０までの距離を認識し、ユーザがワイヤレスリモコン１０の位置をおおまかに知ることができる。そのため、ユーザが容易にワイヤレスリモコン１０を発見することをサポートできる。
【００３９】
また本実施形態によれば、通知部２２は所定の時間間隔で電波強度に応じた通知を行うため、ユーザは操作を行うこと無く室内機３０からワイヤレスリモコン１０までのおおまかな距離を知ることができる。室内機３０は、通常壁面上部や天井などユーザの手の届く範囲外に設置されることが多く、ワイヤレスリモコン１０が使えない場合には室内機３０を直接操作する必要があるが、室内機３０での操作を行う必要がなくユーザに負担をかける虞がない。
【００４０】
また本実施形態によれば、通知部２２が電波強度に応じた通知をするか否かの設定、及び、電波強度に応じた通知の時間間隔を、ワイヤレスリモコン１０または室内機３０に設置された無線通信アダプタ２０を介して設定することから、ユーザの利用環境に応じた通知とすることができる。前もってワイヤレスリモコン１０にて設定することができるとともに、ワイヤレスリモコン１０が使用不可の場合は室内機３０（に設置された無線通信アダプタ２０）にて設定することも可能である。
【００４１】
〔第２実施形態〕
以下、本発明の第２実施形態について、図３を用いて説明する。
上記した第１実施形態では、ワイヤレスリモコンの電波強度に応じた出力としたが、本実施形態では、これを複数の吹出し口を有する室内機に適用するものである。その他の点については第１実施形態と同様であるので、同様の構成については同一符号を付しその説明は省略する。
【００４２】
図３には、本実施形態に係る室内機の概略構成図が示されている。
室内機３０は、天井に埋め込まれ、複数の吹出し口３１ａ、３１ｂ、３１ｃ及び３１ｄを有する。吹出し口３１ａの近傍には通知部２２ａが設置され、同様に吹出し口３１ｂ、３１ｃ及び３１ｄの近傍にそれぞれ通知部２２ｂ、２２ｃ及び２２ｄが設置されている。
また、図示しない電波強度受信部２３ａ、２３ｂ、２３ｃ及び２３ｄがそれぞれ吹出し口３１ａ、３１ｂ、３１ｃ及び３１ｄの近傍に設置されている。
【００４３】
以下の説明において、各吹出し口３１、各通知部２２及び各電波強度受信部２３を区別する場合は、末尾にａ、ｂ、ｃまたはｄのいずれかを付し、各吹出し口３１、各通知部２２及び各電波強度受信部２３を区別しない場合は、ａ、ｂ、ｃまたはｄを省略する。
【００４４】
ワイヤレスリモコン１０が電波を送信すると、図示しない電波強度受信部２３ａ、２３ｂ、２３ｃ及び２３ｄがそれぞれ電波を受信する。
通信制御マイコン２１は、各電波強度受信部２３が受信した電波強度に応じて、各通知部２２の出力を制御する。各電波強度受信部２３が受信した電波強度が異なるため、各通知部２２の通知が異なり、ワイヤレスリモコン１０の位置を認識しやすくなる。
また通信制御マイコン２１は、各電波強度受信部２３が受信した電波強度を比較するとしてもよい。例えば、ワイヤレスリモコン１０が吹出し口３１ｃの近傍にて電波を送信した場合において、電波強度受信部２３ｃが最も強い電波強度を受信し、電波強度受信部２３ａが最も弱い電波強度を受信した場合は、その電波強度を比較し、比較結果を用いて通知部２２ｃを電波強度が強い場合の出力を行うよう制御し、通知部２２ａを電波強度が弱い場合の出力を行うよう制御する。
これらの制御及び通知により、ユーザはワイヤレスリモコン１０が吹出し口３１ｃの近傍にあることを知ることができる。
【００４５】
以上、説明してきたように、本実施形態に係る空気調和装置、空気調和装置の制御方法、及び空気調和装置の制御プログラムによれば、以下の作用効果を奏する。
例えば天井埋め込みされた四方向に吹出し口３１がある室内機３０など複数の吹出し口３１を有する室内機３０において、吹出し口３１毎に設置された電波強度受信部２３がワイヤレスリモコン１０の電波強度を受信し、その強度に応じた通知を行うことで、各吹出し口３１とワイヤレスリモコン１０とのおおまかな距離をユーザに認識させることができる。１の室内機３０に対し、複数の吹出し口３１がある場合、それぞれの吹出し口３１からワイヤレスリモコン１０までの距離を通知するため、ユーザはワイヤレスリモコン１０の位置をより詳細に認識することができる。
通知については、各電波強度を比較して強度が強い順に通知を変更する、最も強度が強い箇所のみ通知を行う、など様々な方法が考えられるが、ワイヤレスリモコン１０までの距離を通知できるのであればいずれの方法を採用してもよい。
【００４６】
〔第３実施形態〕
以下、本発明の第３実施形態について、説明する。
上記した第１及び第２実施形態では、所定の時間間隔でワイヤレスリモコンの電波強度に応じた出力を行うとしたが、本実施形態では、無線通信端末装置の信号に基づき出力を行うものである。その他の点については第１及び第２実施形態と同様であるので、同様の構成については同一符号を付しその説明は省略する。
【００４７】
ワイヤレスリモコン１０がユーザの手元になく、すぐにワイヤレスリモコン１０の所在を確認したい場合であって、室内機３０がユーザには操作しづらい位置に設置されている場合、ユーザに負担をかけることとなる。
そこで、本実施形態では、ユーザの所有する無線通信端末装置、例えばスマートフォンを用いることとする。
ユーザがスマートフォンを操作する（例えば、「リモコンを探す」ボタンをタッチする）ことで信号が室内機３０の無線通信アダプタ２０に送信されると、無線通信アダプタ２０の通信制御マイコン２１が電波強度受信部２３が受信したワイヤレスリモコン１０の電波強度に応じて通知部２２の出力を制御する。
【００４８】
無線通信端末装置は、スマートフォン以外に、タブレット端末、携帯電話機、ＰＤＡ（Personal  Digital  Assistant）、ノートパソコン、デスクトップパソコン等の情報処理端末を含む。また、眼鏡型や時計型の情報処理端末であるウェアラブルデバイス（wearable  device）も含まれる。さらに、無線通信端末装置には、情報処理機能を有する種々のスマート機器が含まれてもよい。
【００４９】
以上、説明してきたように、本実施形態に係る空気調和装置、空気調和装置の制御方法、及び空気調和装置の制御プログラムによれば、以下の作用効果を奏する。
スマートフォンなどの無線通信端末装置から「リモコンを探す」等の信号を室内機３０に送信することで、通知部２２がワイヤレスリモコン１０までのおおまかな距離を通知する。これにより、空気調和装置１以外の装置の信号を契機として、室内機３０からワイヤレスリモコン１０までのおおまかな距離をユーザに認識させることができる。
【００５０】
〔第４実施形態〕
以下、本発明の第４実施形態について、説明する。
上記した第１乃至第３実施形態では、室内機の無線通信アダプタが出力を行うとしたが、本実施形態では、これに加えてワイヤレスリモコンが出力を行うものである。その他の点については第１乃至第３実施形態と同様であるので、同様の構成については同一符号を付しその説明は省略する。
【００５１】
本実施形態では、室内機３０の無線通信アダプタ２０による通知に加え、ワイヤレスリモコン１０でも通知を行う。
ワイヤレスリモコン１０は、図２に示されるようにリモコン通知部１２を備えている。
設定された所定の時間間隔により、通信制御マイコン２１は電波強度に応じて無線通信アダプタ２０の通知部２２の出力を制御する。これと並行して、通信制御マイコン２１はワイヤレスリモコン１０の通信制御マイコン１１と無線通信を行い、通信制御マイコン１１へ電波強度受信部２３が受信した電波強度を伝達する。
【００５２】
通信制御マイコン１１は、電波強度に応じて予め設定されている出力情報にてリモコン通知部１２を制御する。例えば、電波強度の強さに応じて、ＬＥＤをＯＮ／ＯＦＦする、ＬＥＤの点滅の速さまたはパターンを変更する、ＬＥＤの明るさを変更する、ＬＥＤの色を変更する、ブザー音を鳴らす、ブザーの鳴動パターンを変更する等の出力がなされるようリモコン通知部１２を制御する。また、電波強度の強さを距離に換算し、その距離に応じた出力を行うとしてもよい。
リモコン通知部１２は、上述のものに限らずワイヤレスリモコン１０の電波強度に応じた出力でユーザに通知可能な方法であればよく、その構成については問わない。例えば、リモコン通知部１２は振動モータであり、電波強度に応じて振動の強さ、パターン等を変更するなど出力が制御されてもよい。
【００５３】
また、ユーザの所有する無線通信端末装置を用いるとしてもよい。ユーザがスマートフォンを操作する（例えば、「リモコンを探す」ボタンをタッチする）ことで、無線通信アダプタ２０の通信制御マイコン２１が電波強度受信部２３が受信したワイヤレスリモコン１０の電波強度に応じて通知部２２の出力を制御するとともに、ワイヤレスリモコン１０の通信制御マイコン１１が電波強度に応じてリモコン通知部１２の出力を制御する。
【００５４】
以上、説明してきたように、本実施形態に係る空気調和装置、空気調和装置の制御方法、及び空気調和装置の制御プログラムによれば、以下の作用効果を奏する。
ワイヤレスリモコン１０がリモコン通知部１２を有し、電波強度に応じてブザーを鳴らす、振動するなどの通知を行うため、室内機３０からワイヤレスリモコン１０までのおおまかな距離を室内機３０及びワイヤレスリモコン１０双方からユーザに認識させるとともに、ワイヤレスリモコン１０がその位置をユーザに通知することができる。
【００５５】
また本実施形態によれば、スマートフォンなどの無線通信端末装置から「リモコンを探す」等の信号を室内機３０に送信することで、リモコン通知部１２がワイヤレスリモコン１０までのおおまかな距離を通知する。これにより、空気調和装置１以外の装置を用いて、室内機３０からワイヤレスリモコン１０までのおおまかな距離を室内機３０及びワイヤレスリモコン１０双方からユーザに認識させることができるとともに、ワイヤレスリモコン１０がその位置をユーザに通知することができる。
【００５６】
以上、本発明の各実施形態について図面を参照して詳述してきたが、具体的な構成はこの実施形態に限られるものではなく、本発明の要旨を逸脱しない範囲の設計変更なども含まれる。
【００５７】
たとえば、上述した各実施形態においては、ワイヤレスリモコン１０の電波の送信は運転設定情報を送信する場合であるとしたが、ワイヤレスリモコン１０は所定の時間間隔にて常に電波を送信するとしてもよい。この場合、前回運転設定情報を送信した後にワイヤレスリモコン１０の所在が変更されても、正しい場所を特定することができる。
【００５８】
また、ワイヤレスリモコン１０が複数ある場合は、送信する電波に各ワイヤレスリモコン１０毎に情報を付加するとしてもよい。ワイヤレスリモコン１０が送信する電波を変更せず情報を付加することで、各ワイヤレスリモコン１０の電波を区別することができる。
【００５９】
また、ユーザへの通知を通知部２２及びリモコン通知部１２の双方で行う場合、その方法は異なっていてもよい。例えば、通知部２２がＬＥＤランプであり、リモコン通知部がブザーであってもよく、またその通知方法はユーザにより選択可能であるとしてもよい。
【符号の説明】
【００６０】
１  空気調和装置
１０、１０Ａ、１０Ｂ  ワイヤレスリモコン
１１  通信制御マイコン
１２  リモコン通知部
２０、２０Ｘ、２０Ｙ、２０Ｚ  無線通信アダプタ
２１  通信制御マイコン（制御部）
２２、２２ａ、２２ｂ、２２ｃ、２２ｄ  通知部
２３  電波強度受信部
３０、３０Ｘ、３０Ｙ、３０Ｚ  室内機
３１ａ、３１ｂ、３１ｃ、３１ｄ  吹出し口
４０、４０Ｘ、４０Ｙ  室外機
【図１】
2018189277.tif 000003
【図２】
2018189277.tif 000004
【図３】
2018189277.tif 000005